(57)【要約】【課題】現像ローラの表面とトナーの層厚規制部材との間に入り込んだトナーを従来に比べて容易に除去することができ、トナーの融着を防止することができる現像装置及び該現像装置を備える画像形成装置を提供する。【解決手段】第１のドクターブレード３３と第２のドクターブレード３４との間には、回動可能に配置されたカム板３５を設けている。カム板３５は、ステッピングモータにより駆動され、カム板３５の回転に応じて第１のドクターブレード３３及び第２のドクターブレード３４が従動するようにしている。カム板３５は、第１のドクターブレード３３及び第２のドクターブレード３４が所定の圧力で現像ローラ３１の表面に向けて圧接される第１の回転位置と、第１のドクターブレード３３及び第２のドクターブレード３４の圧接力を抑制する第２の回転位置との間で回動するようにしてある。【選択図】図１
2007206455.tif 000002
【特許請求の範囲】
【請求項１】
現像のために所定方向に回転する現像ローラと、該現像ローラの表面に向けて圧接され、該現像ローラの表面に付着した現像剤の層厚を規制する層厚規制部材とを備える現像装置において、
前記現像ローラを前記所定方向と逆方向に逆回転させる現像ローラ駆動手段と、
前記現像ローラが逆回転した場合、前記層厚規制部材の圧接力を抑制する抑制手段と
を備えることを特徴とする現像装置。
【請求項２】
前記抑制手段は、
前記層厚規制部材を現像ローラの表面から離隔するように構成してあることを特徴とする請求項１に記載の現像装置。
【請求項３】
前記抑制手段は、
前記層厚規制部材に当接するカム状回転板を備え、
前記層厚規制部材は、
前記カム状回転板の回転に応じて従動するように構成してあることを特徴とする請求項１又は請求項２に記載の現像装置。
【請求項４】
前記層厚規制部材は、
感光体と現像ローラが近接する現像位置より前記所定方向の下流側に第１の層厚規制板及び該第１の層厚規制板から離隔した第２の層厚規制板をこの順に備え、
前記第１の層厚規制板の圧接力は、前記第２の層厚規制板の圧接力より大きいことを特徴とする請求項１乃至請求項３のいずれか１つに記載の現像装置。
【請求項５】
感光体上に当接するように前記現像位置より前記所定方向の上流側に配置され、現像剤の飛散を防止する飛散防止板を備え、
前記現像ローラ駆動手段は、
前記現像位置と前記飛散防止板の当接位置との間の前記感光体上の周長に相当する現像ローラ上の周長の範囲内において前記現像ローラを逆回転するように構成してあることを特徴とする請求項４に記載の現像装置。
【請求項６】
前記現像ローラは、
前記所定方向に複数の異なる回転速度で回転可能に構成してあり、
前記現像ローラ駆動手段は、
前記回転速度のうち最も低速で前記現像ローラを逆回転するように構成してあることを特徴とする請求項１乃至請求項５のいずれか１つに記載の現像装置。
【請求項７】
感光体に形成された静電潜像を現像装置で現像し、現像された静電潜像をシートに転写して画像を形成する画像形成装置において、
前記現像装置は、請求項１乃至請求項６のいずれか１つに記載の現像装置であることを特徴とする画像形成装置。
【請求項８】
前記現像ローラの使用量に関連する情報を取得する手段と、
該手段が取得した情報に基づいて、前記現像ローラが逆回転する場合、該現像ローラの逆回転量を制御する制御手段と
を備えることを特徴とする請求項７に記載の画像形成装置。
【請求項９】
前記現像ローラの使用量に関連する情報を取得する手段と、
該手段が取得した情報に基づいて、前記現像ローラの逆回転頻度を制御する制御手段と
を備えることを特徴とする請求項７に記載の画像形成装置。
【請求項１０】
画像形成濃度に関連する情報を取得する手段を備え、
前記制御手段は、
前記手段が取得した情報に基づいて、前記現像ローラの逆回転量又は逆回転頻度を制御するように構成してあることを特徴とする請求項８又は請求項９に記載の画像形成装置。
【発明の詳細な説明】
【技術分野】
【０００１】
本発明は、現像のために所定方向に回転する現像ローラ及び該現像ローラの表面に向けて圧接され、該現像ローラの表面に付着した現像剤の層厚を規制する層厚規制部材を備える現像装置、及び該現像装置を備える画像形成装置に関する。
【背景技術】
【０００２】
レーザプリンタ、デジタル複写機、ファクシミリ、又は複合機などの電子写真方式を採用する画像形成装置は、現像ローラの表面に付着させたトナーを感光体表面に形成された静電潜像に静電吸着させることにより、静電潜像を現像し、現像された静電潜像を記録紙に転写して、画像を形成する。
【０００３】
形成する画像の品質を良好に保つためには、感光体と現像ローラとが近接する現像領域(現像位置)に供給されるトナーの量を均一にする必要があり、このために、現像ローラの表面に付着したトナーの層厚を規制するドクターブレードを現像ローラの表面に圧接して設けている。現像ローラを所定方向に回転させることにより、現像ローラの表面に付着したトナーのうち余分なものがドクターブレードで掻き落とされ、現像ローラの表面に均一な層厚のトナー層が形成され、現像領域に供給される。
【０００４】
しかし、ドクターブレードは現像ローラの表面に圧接して設けられているため、現像ローラの表面とドクターブレードとの間隙にトナーが入り込んだ場合、トナーに圧力が加わり、摩擦熱によりトナーが溶融し、溶融したトナーが凝集してトナーの塊が生じるときがある。このため、トナーの塊が入り込んだ部分では、トナーが感光体上に供給されないため現像が行われず、形成された画像に白い縦線となって現われるという不具合がある。この不具合を解決するために、非現像時に現像ローラを逆方向に回転させ、現像ローラの表面とドクターブレードとの間隙に入り込んだトナーを除去する現像装置が提案されている（特許文献１、２参照）。
【０００５】
また、現像ローラを逆回転させる現像装置として、非画像形成時に交流成分のバイアス電圧を印加せずに現像ローラを逆方向に所定の角度だけ回転させ、逆方向回転の後、画像形成時と同じ方向に空回転させることにより、トナーに帯電付与させる現像装置が提案されている（特許文献３参照）。
【０００６】
また、トナーの層厚を規制する押圧部材を非現像時に現像ローラ周面に押圧しつつその接線方向に移動させることにより、押圧部材のトナー押圧面におけるトナーの固着を防止して、その押圧面を常に平滑な状態に保つことができる現像装置が提案されている（特許文献４参照）。
【特許文献１】特開昭６１−２４３４７３号公報
【特許文献２】特開平４−２８１４７８号公報
【特許文献３】特開２００３−２８０３８９号公報
【特許文献４】特開昭５９−７１０６９号公報
【発明の開示】
【発明が解決しようとする課題】
【０００７】
しかしながら、特許文献１の現像装置にあっては、薄膜形成用のドクターブレードと第２のドクターブレードとの間の角度を逆回転する構成であるため、現像ローラが逆方向に略半回転することになり、現像ローラ又は感光体に付着したトナーが外部へ飛散する虞がある。また、現像ローラを逆回転しただけでは、現像ローラの表面とドクターブレードとの間隙に入り込んだトナーを十分に除去することができない虞がある。
【０００８】
また、特許文献２の現像装置にあっては、現像ローラを逆方向に１分間程度回転させるため、現像ローラ又は感光体に付着したトナーが外部へ飛散する虞がある。また、現像ローラを逆回転しただけでは、現像ローラの表面とドクターブレードとの間隙に入り込んだトナーを十分に除去することができない虞がある。
【０００９】
また、特許文献３の現像装置は、トナーに帯電付与させることを目的とするため、現像ローラの表面とドクターブレードとの間隙に入り込んだトナーを十分に除去することができない虞がある。さらに、特許文献４の現像装置は、押圧部材を非現像時に現像ローラ周面に押圧しつつその接線方向に往復移動させるため、現像ローラに付着したトナーが外部へ飛散する虞がある。また、押圧部材の往復移動による摩擦熱により、付着したトナーが溶融して一層トナーが固着する虞がある。
【００１０】
本発明は、斯かる事情に鑑みてなされたものであり、現像ローラを逆回転させる現像ローラ駆動手段、及び該現像ローラが逆回転した場合、層厚規制部材の圧接力を抑制する抑制手段を備えることにより、現像ローラの表面と層厚規制部材との間に入り込んだトナーを従来に比べて容易に除去することができ、トナーの融着を防止することができる現像装置及び該現像装置を備える画像形成装置を提供することを目的とする。
【００１１】
また、本発明の他の目的は、前記抑制手段は、前記層厚規制部材を現像ローラの表面から離隔するように構成してあることにより、現像ローラの表面と層厚規制部材との間に挟まったトナーを確実に除去することができる現像装置及び該現像装置を備える画像形成装置を提供することにある。
【００１２】
また、本発明の他の目的は、層厚規制部材に当接するカム状回転板を備え、該カム状回転板の回転に応じて前記層厚規制部材を従動するように構成することにより、簡単な構成で前記層厚規制部材の圧接力を抑制することができる現像装置及び該現像装置を備える画像形成装置を提供することにある。
【００１３】
また、本発明の他の目的は、感光体と現像ローラが近接する現像位置より所定方向の下流側に第１の層厚規制板及び該第１の層厚規制板から離隔した第２の層厚規制板をこの順に備え、前記第１の層厚規制板の圧接力は、前記第２の層厚規制板の圧接力より大きいことにより、トナーの融着を防止しつつ、トナーの層厚を均一にすることができる現像装置及び該現像装置を備える画像形成装置を提供することにある。
【００１４】
また、本発明の他の目的は、現像剤の飛散を防止する飛散防止板を現像位置より所定方向の上流側付近に感光体上に当接するように配置し、前記現像位置と前記飛散防止板の当接位置との間の前記感光体上の周長に相当する現像ローラ上の周長の範囲内において前記現像ローラを逆回転させることにより、現像ローラ又は感光体に付着したトナーが外部へ飛散することを防止することができる現像装置及び該現像装置を備える画像形成装置を提供することにある。
【００１５】
また、本発明の他の目的は、所定方向の複数の異なる回転速度のうち最も低速で現像ローラを逆回転することにより、現像ローラ又は感光体に付着したトナーが外部へ飛散することを防止することができる現像装置及び該現像装置を備える画像形成装置を提供することにある。
【００１６】
また、本発明の他の目的は、現像ローラの使用量に関連する情報を取得し、取得した情報に基づいて、前記現像ローラが逆回転する場合の逆回転量を制御する制御手段を備えることにより、使用状況に拘わらず、トナーの融着を抑制することができる画像形成装置を提供することにある。
【００１７】
また、本発明の他の目的は、現像ローラの使用量に関連する情報を取得し、取得した情報に基づいて、前記現像ローラの逆回転頻度を制御する制御手段を備えることにより、使用状況に拘わらず、トナーの融着を抑制することができる画像形成装置を提供することにある。
【００１８】
また、本発明の他の目的は、画像形成濃度に関連する情報を取得し、取得した情報に基づいて、前記現像ローラの逆回転量又は逆回転頻度を制御することにより、形成される画像の濃度にかかわらず、トナーの融着を抑制することができる画像形成装置を提供することにある。
【課題を解決するための手段】
【００１９】
本発明に係る現像装置は、現像のために所定方向に回転する現像ローラと、該現像ローラの表面に向けて圧接され、該現像ローラの表面に付着した現像剤の層厚を規制する層厚規制部材とを備える現像装置において、前記現像ローラを前記所定方向と逆方向に逆回転させる現像ローラ駆動手段と、前記現像ローラが逆回転した場合、前記層厚規制部材の圧接力を抑制する抑制手段とを備えることを特徴とする。
【００２０】
本発明に係る現像装置は、前記抑制手段は、前記層厚規制部材を現像ローラの表面から離隔するように構成してあることを特徴とする。
【００２１】
本発明に係る現像装置は、前記抑制手段は、前記層厚規制部材に当接するカム状回転板を備え、前記層厚規制部材は、前記カム状回転板の回転に応じて従動するように構成してあることを特徴とする。
【００２２】
本発明に係る現像装置は、前記層厚規制部材は、感光体と現像ローラが近接する現像位置より前記所定方向の下流側に第１の層厚規制板及び該第１の層厚規制板から離隔した第２の層厚規制板をこの順に備え、前記第１の層厚規制板の圧接力は、前記第２の層厚規制板の圧接力より大きいことを特徴とする。
【００２３】
本発明に係る現像装置は、感光体上に当接するように前記現像位置より前記所定方向の上流側に配置され、現像剤の飛散を防止する飛散防止板を備え、前記現像ローラ駆動手段は、前記現像位置と前記飛散防止板の当接位置との間の前記感光体上の周長に相当する現像ローラ上の周長の範囲内において前記現像ローラを逆回転するように構成してあることを特徴とする。
【００２４】
本発明に係る現像装置は、前記現像ローラは、前記所定方向に複数の異なる回転速度で回転可能に構成してあり、前記現像ローラ駆動手段は、前記回転速度のうち最も低速で前記現像ローラを逆回転するように構成してあることを特徴とする。
【００２５】
本発明に係る画像形成装置は、感光体に形成された静電潜像を現像装置で現像し、現像された静電潜像をシートに転写して画像を形成する画像形成装置において、  前記現像装置は、前述の本発明のいずれか１つに係る現像装置であることを特徴とする。
【００２６】
本発明に係る画像形成装置は、前記現像ローラの使用量に関連する情報を取得する手段と、該手段が取得した情報に基づいて、前記現像ローラが逆回転する場合、該現像ローラの逆回転量を制御する制御手段とを備えることを特徴とする。
【００２７】
本発明に係る画像形成装置は、前記現像ローラの使用量に関連する情報を取得する手段と、該手段が取得した情報に基づいて、前記現像ローラの逆回転頻度を制御する制御手段とを備えることを特徴とする。
【００２８】
本発明に係る画像形成装置は、画像形成濃度に関連する情報を取得する手段を備え、前記制御手段は、前記手段が取得した情報に基づいて、前記現像ローラの逆回転量又は逆回転頻度を制御するように構成してあることを特徴とする。
【００２９】
本発明にあっては、非現像時に現像ローラを逆回転させるとともに、現像ローラが逆回転した場合に、層厚規制部材の圧接力を抑制することにより、現像ローラの表面と現像ローラの表面に圧接された層厚規制部材との間隙に入り込んだ現像剤（トナー）を除去する。すなわち、現像ローラの逆回転により、現像ローラの表面と層厚規制部材との間に挟まったトナーを現像ローラと層厚規制部材との間隙から離反させるとともに、層厚規制部材の圧接力を抑制する（例えば、層厚規制部材を現像ローラの表面に接触させつつ圧接力を小さくする、又は層厚規制部材を現像ローラの表面から離隔する）ことにより、現像剤を落ち易くする。これにより、特定のトナーが、現像ローラの表面と層厚規制部材との間に長時間留まることを防止してトナーの凝集を抑制する。
【００３０】
本発明にあっては、抑制手段は、前記層厚規制部材を現像ローラの表面から離隔する。これにより、現像ローラの表面と層厚規制部材との間に比較的大きなトナーの塊（現像剤）が挟まった場合であっても、トナーの塊を落ち易くする。
【００３１】
本発明にあっては、カム状回転板を層厚規制部材に当接することにより、該カム状回転板の回転に応じて前記層厚規制部材を従動させる。例えば、現像時には、前記カム状回転板を所定の回転位置にしておくことにより、所要の圧接力を有して前記層厚規制部材を現像ローラの表面に当接させ、現像剤の層厚を規制する。非現像時には、前記カム状回転板を所定の角度回転させることにより、前記層厚規制部材の圧接力が作用する方向と反対方向に前記層厚規制部材を従動させて圧接力を抑制する。前記カム状回転板は、例えば、ステッピングモータにより回転駆動させることができる。
【００３２】
本発明にあっては、感光体と現像ローラが近接する現像位置より所定方向の下流側に第１の層厚規制板及び第２の層厚規制板をこの順に離隔して設け、前記第１の層厚規制板の圧接力を、前記第２の層厚規制板の圧接力より大きくする。現像時に所定方向に現像ローラを回転させて、圧接力の大きい第１の層厚規制板により現像ローラの表面に付着した現像剤を掻き落とすことにより、現像剤の層厚を大まかに規制する。次に、圧接力の小さい第２の層厚規制板により現像ローラの表面の現像剤の層厚を所要の厚さに精度よく規制して、感光体と現像ローラが近接する現像位置に層厚が所要の厚さに規制された現像剤を供給する。
【００３３】
本発明にあっては、飛散防止板を現像位置より所定方向の上流側付近に、感光体上に当接するように配置する。非現像時に現像ローラを逆回転する場合、前記現像位置と前記飛散防止板の当接位置との間の前記感光体上の周長に相当する現像ローラ上の周長の範囲内において前記現像ローラを逆回転させる。現像ローラ及び感光体が連動して逆回転したときに、現像ローラの逆回転量が、前記現像位置と前記飛散防止板の当接位置との間の前記感光体上の周長に相当する現像ローラ上の周長の範囲内であれば、感光体上に付着した現像剤が飛散防止板を超えて外部へ飛散することがない。
【００３４】
本発明にあっては、現像時は、現像ローラは、所定方向に複数の異なる回転速度で回転可能に設定している。例えば、形成する画像がモノクロ画像の場合、カラー画像の場合、又は選択された記録紙が厚紙である場合に対応して、現像ローラ及び感光体の回転速度は３段階の速度を有する。現像ローラを逆回転する場合、所定方向の予め設定された回転速度と異なる回転速度ではなく、設定された回転速度のうち最も低速な回転速度で回転させることにより、逆回転時の回転速度を設定する特別な駆動機構を設ける必要がなく、又低速度で逆回転するため現像剤の飛散を防止することができる。
【００３５】
本発明にあっては、現像ローラの使用量に関連する情報（例えば、現像ローラの走行距離、現像ローラの累積回転数など）を取得し、取得した情報に基づいて、現像ローラを逆回転させる場合における逆回転量を制御する。例えば、現像ローラの走行距離又は累積回転数の増加に対応して、逆回転量を多くする。これにより、現像ローラを長期間使用した場合、現像ローラの表面と層厚規制部材との間に留まるトナーが多くなったときでも、逆回転量を増加させることにより、トナーが凝集する前に除去する。
【００３６】
本発明にあっては、現像ローラの使用量に関連する情報（例えば、現像ローラの走行距離、現像ローラの累積回転数など）を取得し、取得した情報に基づいて、現像ローラを逆回転させる場合における逆回転頻度を制御する。例えば、現像ローラの走行距離又は累積回転数の増加に対応して、逆回転させる頻度を多くする。これにより、現像ローラを長期間使用した場合、現像ローラの表面と層厚規制部材との間に留まるトナーが多くなったときでも、逆回転量を増加させることにより、トナーが凝集する前に除去する。
【００３７】
本発明にあっては、画像形成濃度に関連する情報（例えば、画像形成のジョブ毎に、原稿印字の濃度、画像形成の印字率など）を取得し、取得した情報に基づいて、現像ローラを逆回転させる場合における逆回転量又は逆回転頻度を制御する。例えば、原稿印字の濃度が高い場合、現像位置における現像剤（トナー）の現像量が多くなり、現像ローラの表面に残留する現像剤が少なくなり、層厚規制部材へのトナー圧も弱くなり、トナー融着が発生しにくいため、逆回転量を短くし、又は逆回転頻度を少なくする。一方、原稿印字の濃度が低い場合、現像位置における現像剤（トナー）の現像量が少なくなり、現像ローラの表面に残留する現像剤が多くなり、層厚規制部材へのトナー圧も強くなり、トナー融着が発生しやすいため、逆回転量を長くし、又は逆回転頻度を多くする。
【発明の効果】
【００３８】
本発明にあっては、現像ローラを逆回転させる現像ローラ駆動手段、及び該現像ローラが逆回転した場合、層厚規制部材の圧接力を抑制する抑制手段を備えることにより、現像ローラの表面と層厚規制部材との間に入り込んだトナーを従来に比べて容易に除去することができ、トナーの融着を防止することができる。また、特定のトナーが、現像ローラの表面と層厚規制部材との間に長時間留まることを防止してトナーの凝集を抑制することができる。
【００３９】
本発明にあっては、前記抑制手段は、前記層厚規制部材を現像ローラの表面から離隔するように構成してあることにより、現像ローラの表面と層厚規制部材との間に比較的大きなトナーの塊（現像剤）が挟まった場合であっても、トナーの塊を落ち易くすることができ、現像ローラの表面と層厚規制部材との間に挟まったトナーの塊を確実に除去することができる。
【００４０】
本発明にあっては、層厚規制部材に当接するカム状回転板を備え、該カム状回転板の回転に応じて前記層厚規制部材を従動するように構成することにより、簡単な構成で前記層厚規制部材の圧接力を抑制することができる。
【００４１】
本発明にあっては、感光体と現像ローラが近接する現像位置より所定方向の下流側に第１の層厚規制板及び該第１の層厚規制板から離隔した第２の層厚規制板をこの順に備え、前記第１の層厚規制板の圧接力は、前記第２の層厚規制板の圧接力より大きいことにより、トナーの融着を防止しつつ、トナーの層厚を均一にすることができる。
【００４２】
本発明にあっては、現像剤の飛散を防止する飛散防止板を現像位置より所定方向の上流側付近に感光体上に当接するように配置し、前記現像位置と前記飛散防止板の当接位置との間の前記感光体上の周長に相当する現像ローラ上の周長の範囲内において前記現像ローラを逆回転させることにより、現像ローラ又は感光体に付着したトナーが外部へ飛散することを防止することができる。
【００４３】
本発明にあっては、所定方向の複数の異なる回転速度のうち最も低速で現像ローラを逆回転することにより、逆回転時の回転速度を設定する特別な駆動機構を設ける必要がなく、又現像ローラ又は感光体に付着したトナーが外部へ飛散することを防止することができる。
【００４４】
本発明にあっては、現像ローラの使用量に関連する情報を取得し、取得した情報に基づいて、前記現像ローラが逆回転する場合の逆回転量を制御する制御手段を備えることにより、使用状況に拘わらず、トナーの融着を抑制することができる。
【００４５】
本発明にあっては、現像ローラの使用量に関連する情報を取得し、取得した情報に基づいて、前記現像ローラの逆回転頻度を制御する制御手段を備えることにより、使用状況に拘わらず、トナーの融着を抑制することができる。
【００４６】
本発明にあっては、画像形成濃度に関連する情報を取得し、取得した情報に基づいて、前記現像ローラの逆回転量又は逆回転頻度を制御することにより、形成される画像の濃度にかかわらず、トナーの融着を抑制することができる。
【発明を実施するための最良の形態】
【００４７】
以下、本発明をその実施の形態を示す図面に基づいて説明する。図１は本発明に係る現像装置を備える画像形成装置の要部構成を示す模式図である。図において、１はドラム状の感光体（像担持体）である。感光体１は、後述するブラシレスモータにより図中矢印方向に回転し、その周囲には、回転方向に沿って、感光体１の表面を均一な所定の電位に帯電させる帯電器２、静電潜像が形成された感光体１の表面にトナーを供給し、静電潜像をトナー像に顕像化する現像装置３、現像された静電潜像を記録紙５に転写する転写器４、及び感光体１の残留トナーを回収するクリーニング装置６などを配置してある。
【００４８】
帯電器２と現像装置３との間の感光体１の表面には、光書き込みユニット７からのレーザ光又はＬＥＤ光（原稿からの反射光）が照射され、照射による光導電作用によって静電潜像が形成される。
【００４９】
現像装置３は、所要の形状の筐体３０を備え、筐体３０は合成樹脂に着色材及び磁性粉末を混入した一成分現像剤（トナー、例えば、粒子径は約７〜８μｍ）を収容している。筐体３０内には、感光体１の表面と所定の間隔を保持して対設された現像ローラ３１、現像ローラ３１と平行にトナー補給ローラ３２を配置している。現像ローラ３１、トナー補給ローラ３２は、後述する駆動ギアで感光体１と連係してあり、ブラシレスモータの駆動により図中矢印方向（正回転）に回転する。なお、ブラシレスモータの回転を逆回転させることにより、現像ローラ３１、感光体１などを連係して図中矢印方向と逆方向（逆回転）に回転させることができる。
【００５０】
現像ローラ３１の表面には、所定の圧力で圧接され、離隔して設けられた薄板状（例えば、ステンレス製であって、厚さが約０．１ｍｍ）の第１のドクターブレード３３、及び第２のドクターブレード３４を設けている。
【００５１】
第１のドクターブレード３３の圧接力は、第２のドクターブレード３４の圧接力よりも大きくしてある。第１のドクターブレード３３は、トナー補給ローラ３２により現像ローラ３１の表面に供給されたトナーを掻き落とすことにより、トナーの層厚を大まかに規制する。次に、圧接力の小さい第２のドクターブレード３４は、現像ローラ３１の表面のトナーの層厚を所要の厚さ（例えば、１０〜３０μｍ程度）に精度よく規制して、感光体１と現像ローラ３１が近接する現像位置に層厚が所要の厚さに規制されたトナーを供給する。これにより、感光体１の現像位置には、常に一定量のトナーが供給される。
【００５２】
第１のドクターブレード３３と第２のドクターブレード３４との間には、回動可能に配置されたカム板３５を設けている。カム板３５は、後述するステッピングモータにより駆動され、カム板３５の回転に応じて第１のドクターブレード３３及び第２のドクターブレード３４が従動するようにしている。すなわち、カム板３５は、第１のドクターブレード３３及び第２のドクターブレード３４が所定の圧力で現像ローラ３１の表面に向けて圧接される第１の回転位置と、第１のドクターブレード３３及び第２のドクターブレード３４の圧接力を抑制する第２の回転位置との間で回動するようにしてある。
【００５３】
第２の回転位置においては、第１のドクターブレード３３と第２のドクターブレード３４とを現像ローラ３１の表面に接触した状態で圧接力を抑制するようにしてもよく、また、第１のドクターブレード３３と第２のドクターブレード３４とを現像ローラ３１の表面から所要の距離（例えば、０．１ｍｍ〜０．５ｍｍ程度）だけ離隔させてもよい。
【００５４】
筐体３０の光書き込みユニット７側の端部には、感光体１の表面に残留したトナー又は現像ローラ３１の表面に付着したトナーが外部に飛散することを防止するため、感光体１の表面に当接するように合成樹脂製の飛散防止板３６を設けている。また、筐体３０の現像ローラ３１を間にして反対側の端部には、収容されたトナーが外部に飛散することを防止するため、現像ローラ３１の表面に当接するように合成樹脂製の飛散防止板３７を設け、飛散防止板３７の近傍には、現像ローラ３１に付着したトナーが飛散した場合、飛散したトナーを受け止めるトナー受け３８を設けている。
【００５５】
図２は本発明に係る画像形成装置の構成を示すブロック図である。図において、１０は制御部である。制御部１０は、例えば、マイクロコンピュータにより構成される。制御部１０には、メモリ１１を接続してある。メモリ１１は、不揮発性のメモリ又はＨＤＤなどにより構成され、制御部１０の動作を制御するためのプログラム及びデータなどを記憶している。
【００５６】
画像形成制御部２０は、ＣＰＵにより構成され、画像形成処理全体を制御するためのものである。画像形成制御部２０は、画像形成装置に対する電源のオン又はオフに応じて、電源オン信号又は電源オフ信号を制御部１０へ出力する。また、画像形成制御部２０は、画像形成の開始（すなわち、ジョブの開始）、及び画像形成の終了（すなわち、ジョブの終了）を示すジョブ開始信号及びジョブ終了信号を制御部１０へ出力する。例えば、画像形成制御部２０は、画像形成（印刷）のジョブが生じた場合、ジョブ開始信号を制御部１０へ出力する。なお、この場合、ジョブは、利用者による１回の操作で連続して行われる一連の処理をいう。
【００５７】
画像形成制御部２０は、画像形成された記録紙の累積枚数（例えば、Ａ４片面印字相当の印字枚数など）を示す累積枚数情報を制御部１０へ出力する。また、画像形成制御部２０は、画像形成する場合の印字モード（例えば、厚紙、カラー、モノクロなど）を示す印字モード情報を制御部１０へ出力する。制御部１０は、入力された累積枚数情報及び印字モード情報をメモリ１１に記憶する。
【００５８】
画像形成制御部２０は、ジョブ毎に、画像形成の印字濃度を示す印字濃度信号を制御部１０へ出力する。印字濃度は、例えば、原稿をスキャナ部（不図示）で読み取った画像データが有する輝度値、輝度分布、印字率などに基づいて算出することができる。また、１つのジョブで複数枚の記録紙に印字を行う場合には、印字濃度の平均値、中間値、最大値、又は最小値などを該ジョブにおける印字濃度とすることができる。
【００５９】
印字濃度が比較的高い場合、感光体１上の現像位置で現像されるトナーの量が多いため、現像ローラ３１の表面に残留するトナー量が少なくなり、ドクターブレード３３、３４へのトナー圧（トナーによるドクターブレード３３、３４の圧接力に対抗する力）も弱くなり、ドクターブレード３３、３４と現像ローラ３１の表面との間に入り込んだトナーが長時間留まることにより生ずるトナー融着、トナー凝集が発生しにくい。
【００６０】
一方、印字濃度が比較的低い場合、感光体１上の現像位置で現像されるトナーの量が少ないため、現像ローラ３１の表面に残留するトナー量が多くなくなり、ドクターブレード３３、３４へのトナー圧（トナーによるドクターブレード３３、３４の圧接力に対抗する力）も強くなり、ドクターブレード３３、３４と現像ローラ３１の表面との間に入り込んだトナーが長時間留まることにより生ずるトナー融着、トナー凝集が発生し易くなる。
【００６１】
制御部１０は、画像形成制御部２０から取得した印字モード情報に応じて、正回転信号を正逆回転制御回路１３へ出力する。正逆回転制御回路１３は、入力された正回転信号に基づいて、駆動信号をブラシレスモータ１４へ出力する。ブラシレスモータ１４の回転軸には駆動ギア１５を連結してあり、ブラシレスモータ１４を回転駆動することにより、感光体１及び現像ローラ３１は、所定方向（正回転方向）に回転する。
【００６２】
制御部１０には、カウンタ１２を接続してあり、カウンタ１２は、制御部１０から正逆回転制御回路１３へ出力される正回転信号に基づいて、現像ローラ３１の駆動速度（回転速度）及び駆動時間を計数し、計数結果を制御部１０へ出力する。制御部１０は、計数結果及び現像ローラ３１の直径（例えば、１６ｍｍなど）に基づいて、現像ローラ３１の走行距離を算出し、算出結果をメモリ１１に記憶する。
【００６３】
制御部１０は、画像形成制御部２０から入力されるジョブ開始信号又はジョブ終了信号に基づいて、累積ジョブ数を計数し、計数結果をメモリ１１に記憶する。また、制御部１０は、計数した累積ジョブ数が予め設定された累積ジョブ数（所定累積ジョブ数）に一致するか否かを判定し、一致する場合には、非現像時に現像ローラ３１を所定方向と逆方向（逆回転方向）に回転させるための逆回転信号を正逆回転制御回路１３へ出力する。正逆回転制御回路１３は、入力された逆回転信号に基づいて、駆動信号をブラシレスモータ１４へ出力する。ブラシレスモータ１４を回転駆動することにより、感光体１及び現像ローラ３１は、所定方向と逆方向（逆回転方向）に回転する。
【００６４】
現像ローラ３１を逆方向に回転させる場合、制御部１０は、メモリ１１に記憶された現像ローラ３１の走行距離に応じて、逆回転量（現像ローラ３１の外周に沿った距離又は回転角度）を設定する。
【００６５】
制御部１０は、現像ローラ３１を逆方向に回転させるために逆回転信号を出力する場合、カム板３５を第１の回転位置から第２の回転位置へ回転させるために、抑制駆動信号を駆動回路１６へ出力する。また、制御部１０は、現像ローラ３１の逆方向回転を停止させるため、逆回転信号の出力を停止する場合、抑制解除駆動信号を駆動回路１６へ出力することにより、カム板３５を第２の回転位置から第１の回転位置へ回転させる。
【００６６】
駆動回路１６は、入力された抑制駆動信号に基づいて、ステッピングモータ１７を駆動し、カム板３５は第１の回転位置から第２の回転位置まで回転し、入力された抑制解除駆動信号に基づいて、ステッピングモータ１７を駆動し、カム板３５は第２の回転位置から第１の回転位置まで回転する。
【００６７】
逆回転信号及び抑制駆動信号の出力タイミングは、現像ローラ３１が逆方向に回転した後に、第１のドクターブレード３３及び第２のドクターブレード３４の圧接力が抑制され、現像ローラ３１の逆方向の回転が停止した後に、第１のドクターブレード３３及び第２のドクターブレード３４の圧接力の抑制を解除するようにしている。より具体的には、一例として、現像ローラ３１が所要の逆回転量だけ逆回転に要する時間の後半部分で第１のドクターブレード３３及び第２のドクターブレード３４の圧接力を抑制して現像ローラ３１の表面から離隔させることができる。
【００６８】
制御部１０は、画像形成制御部２０から入力される印字濃度信号をメモリ１１に記憶してある濃度閾値と比較し、印字濃度が濃度閾値より小さい場合、現像ローラ３１の表面に残留するトナー量が多くなると判断して、画像形成のジョブが終了しているときに、逆回転信号及び抑制駆動信号を夫々正逆回転制御回路１３及び駆動回路１６へ出力する。
【００６９】
図３は現像ローラ３１の回転制御の一例を示す説明図である。図に示すように、現像を行う場合、印字モード「厚紙」、「カラー」、又は「モノクロ」に対応して現像ローラ３１は、低速正回転、中速正回転、又は高速正回転するようにしてある。また、非現像時に現像ローラ３１は、低速逆回転（低速正回転と同一回転速度）するようにしてある。これにより、予め設定された正回転方向の回転速度と異なる回転速度ではなく、設定された回転速度のうち最も低速な回転速度で回転させることにより、逆回転時の回転速度を設定する特別な駆動ギアなどを設ける必要がなく、又現像ローラ３１を低速度で逆回転させるため、感光体１の表面又は現像ローラ３１の表面に残留するトナーの飛散を防止することができる。
【００７０】
図４は現像ローラ３１を逆回転する場合の逆回転量の一例を示す説明図である。図中、現像ローラ走行距離は、現像ローラ３１の回転速度、回転時間、及び現像ローラ３１の直径（例えば、１６ｍｍ）に基づいて算出される。また、現像ローラ累積回転数は、現像ローラ３１の回転速度、及び回転時間に基づいて算出される。また、Ａ４シングル印字枚数は、現像ローラ３１の走行距離に対して、Ａ４片面印字を連続行ったと仮定した場合の印字相当枚数である。現像ローラ逆回転量は、直径１６ｍｍの現像ローラ３１の外周上の移動距離、又は現像ローラ３１の回転角度である。
【００７１】
現像ローラ３１の逆回転量を設定するためには、現像ローラ走行距離、現像ローラ累積回転数、又はＡ４シングル印字枚数のいずれを用いることもできる。例えば、現像ローラ走行距離を用いた場合、現像ローラ走行距離が、０〜１５０００００ｍｍの範囲にあるときは、現像ローラ３１の逆回転量は、０．５ｍｍ（３．５８°）である。図に示すように、現像ローラ走行距離が増加するにつれて、現像ローラ３１の逆回転量も増加させる。これにより、現像ローラ３１を長期間使用した場合、現像ローラ３１の表面とドクターブレード３３、３４との間に留まるトナーが多くなったときでも、逆回転量を増加させることにより、トナーが凝集する前にトナーを除去することができる。
【００７２】
図５は現像ローラ３１を逆回転する場合の逆回転頻度の一例を示す説明図である。図中、現像ローラ走行距離、現像ローラ累積回転数、Ａ４シングル印字枚数は、図４と同様であるので説明は省略する。現像ローラ３１の逆回転頻度を設定するためには、現像ローラ走行距離、現像ローラ累積回転数、又はＡ４シングル印字枚数のいずれを用いることもできる。例えば、現像ローラ走行距離を用いた場合、現像ローラ走行距離が、０〜１５０００００ｍｍの範囲にあるときは、現像ローラ３１の逆回転は、ウォーミングアップ後（例えば、電源投入時）のみ行う。また、現像ローラ走行距離が、１５０００００〜３００００００ｍｍの範囲にあるときは、現像ローラ３１の逆回転は、ウォーミングアップ後（例えば、電源投入時）及びジョブが１０回累積する都度行う。
【００７３】
図に示すように、現像ローラ走行距離が増加するにつれて、現像ローラ３１の逆回転頻度も増加させる。これにより、現像ローラ３１を長期間使用した場合、現像ローラ３１の表面とドクターブレード３３、３４との間に留まるトナーが多くなったときでも、逆回転頻度を増加させることにより、トナーが凝集する前にトナーを除去することができる。
【００７４】
図６は現像ローラ３１を逆回転する場合の逆回転頻度の他の例を示す説明図である。図中、現像ローラ走行距離は、図４と同様であるので説明は省略する。Ａ４印字枚数は、Ａ４サイズに換算した場合の実際の印字枚数である。現像ローラ走行距離とＡ４印字枚数との比（現像ローラ走行距離／Ａ４印字枚数）は、Ａ４印字枚数当りの現像ローラ走行距離を示す。また、Ａ４何枚間欠相当の使用は、現像ローラ３１が回転している場合において、非印字動作と印字動作との割合に相当するものである。現像ローラ３１の逆回転頻度を設定するためには、（現像ローラ走行距離／Ａ４印字枚数）、又はＡ４何枚間欠相当の使用のいずれを用いることもできる。
【００７５】
例えば、（現像ローラ走行距離／Ａ４印字枚数）を用いた場合、（現像ローラ走行距離／Ａ４印字枚数）が、４２８未満であるときは、現像ローラ３１の逆回転は行わない。また、（現像ローラ走行距離／Ａ４印字枚数）が、４２８以上８５６未満であるときは、現像ローラ３１の逆回転は、ウォーミングアップ後（例えば、電源投入時）及びジョブが１０回累積する都度行う。図に示すように、（現像ローラ走行距離／Ａ４印字枚数）が増加するにつれて、現像ローラ３１の逆回転頻度も増加させる。これにより、現像ローラ３１を長期間使用した場合、現像ローラ３１の表面とドクターブレード３３、３４との間に留まるトナーが多くなったときでも、逆回転頻度を増加させることにより、トナーが凝集する前にトナーを除去することができる。
【００７６】
次に本発明に係る画像形成装置の動作について説明する。図７は現像ローラ３１が正回転する場合の模式図である。カム板３５は、第１のドクターブレード３３及び第２のドクターブレード３４が所定の圧力で現像ローラ３１の表面に圧接される第１の回転位置にある。これにより、現像ローラ３１が正回転（図７中矢印方向）する場合、第１のドクターブレード３３は、現像ローラ３１の表面に供給されたトナーを掻き落とすことにより、トナーの層厚を大まかに規制する。次に、第１のドクターブレード３３よりも圧接力の小さい第２のドクターブレード３４は、現像ローラ３１の表面のトナーの層厚を所要の厚さに精度よく規制して、感光体１と現像ローラ３１が近接する現像位置（図中、感光体１の中心Ｓ１と現像ローラ３１の中心Ｓ２とを結ぶ直線が感光体１上と交わる点Ａ近傍）に層厚が所要の厚さに規制されたトナーを供給する。
【００７７】
現像ローラ３１を逆回転させる場合、現像ローラ３１の逆回転量を、感光体１上の点Ａと、飛散防止板３６が感光体１に当接する当接位置（図中点Ｂ）との間の前記感光体１の周長に相当する現像ローラ３１の周長の範囲（最大逆回転量）内になるように、現像ローラ３１を逆回転させる。
【００７８】
図８は現像ローラ３１が逆回転する場合の模式図である。現像ローラ３１を逆回転（図８中矢印方向）開始後に、第１のドクターブレード３３及び第２のドクターブレード３４の圧接力を抑制するために、カム板３５を第２の回転位置に回転する。図においては、第１のドクターブレード３３及び第２のドクターブレード３４は、現像ローラ３１の表面から所要の距離だけ離隔するようにしてある。これにより、現像ローラ３１を逆回転開始後、現像ローラ３１を逆回転させながら、第１のドクターブレード３３及び第２のドクターブレード３４を現像ローラ３１の表面から離隔させる。
【００７９】
現像ローラ３１の逆回転量が、感光体１上の点Ａと飛散防止板３６が感光体１に当接する当接位置（図中点Ｂ）との間の感光体１の周長に相当する現像ローラ３１の周長を越えないように、現像ローラ３１を逆回転させた場合、点Ａ近傍に残留するトナーは、飛散防止板３６が感光体１に当接する当接位置（点Ｂ）を超えて外部に飛散することがない。これにより、例えば、感光体１の近傍に設けられた光書き込みユニット７の発光面などを飛散したトナーで汚すことを防止することができる。
【００８０】
図９は第２のドクターブレード３４と現像ローラ３１の表面との間に溜まるトナーの状態を示す説明図である。図９（ａ）は、現像ローラ３１が正回転する場合の第２のドクターブレード３４の圧接力を維持した状態で、現像ローラ３１を逆回転した場合の状態を示す。図９（ａ）に示すように、第２のドクターブレード３４の圧接力が維持されたままであるため、現像ローラ３１を逆回転させた場合であっても、第２のドクターブレード３４と現像ローラ３１の表面との間には、第２のドクターブレード３４の圧接力で押圧されたトナーが残留し続ける。
【００８１】
図９（ｂ）は、現像ローラ３１の表面に向けた第２のドクターブレード３４の圧接力を抑制した状態（より具体的には、第２のドクターブレード３４を現像ローラ３１の表面から所要の距離だけ離隔させた状態）で、現像ローラ３１を逆回転した場合の状態を示す。図９（ｂ）に示すように、第２のドクターブレード３４の圧接力が抑制されているため、現像ローラ３１の逆回転により、第２のドクターブレード３４と現像ローラ３１の表面との間に残留していたトナーは、現像ローラ３１と第２のドクターブレード３４との間隙から離反して除去される。また、比較的大きな塊となったトナーも、第２のドクターブレード３４を現像ローラ３１の表面から所要の距離だけ離隔させるため、容易に除去することができる。なお、第１のドクターブレード３３についても、同様であるので説明は省略する。
【００８２】
図１０及び図１１は制御部１０の処理手順を示すフローチャートである。制御部１０は、電源オンの操作の有無を判定し（Ｓ１０）、電源オンの操作がない場合（Ｓ１０でＮＯ）、ステップＳ１０の処理を続け、電源オンの操作があるまで待機する。
【００８３】
電源オンの操作があった場合（Ｓ１０でＹＥＳ）、制御部１０は、メモリ１１に記憶された現像ローラ走行距離を取得し（Ｓ１１）、ウォーミングアップ後に現像ローラ３１を逆回転させるとともに、第１及び第２のドクターブレード３３、３４の圧接力を抑制する逆転駆動処理を行う（Ｓ１２）。なお、逆転駆動処理については後述する。制御部１０は、画像形成のためのジョブの有無を判定し（Ｓ１３）、ジョブがない場合（Ｓ１３でＮＯ）、ステップＳ１３の処理を続け、ジョブがあるまで待機する。
【００８４】
ジョブがある場合（Ｓ１３でＹＥＳ）、制御部１０は、そのジョブに関する印字濃度を取得し（Ｓ１４）、ジョブが終了されたか否かを判定する（Ｓ１５）。ジョブが終了していない場合（Ｓ１５でＮＯ）、制御部１０は、ステップＳ１５の処理を続け、ジョブが終了するまで待機する。
【００８５】
ジョブが終了した場合（Ｓ１５でＹＥＳ）、制御部１０は、メモリ１１に記憶された現像ローラ走行距離を取得し（Ｓ１６）、現像ローラ走行距離が所定値より大きいか否かを判定する（Ｓ１７）。現像ローラ走行距離が所定値より大きい場合（Ｓ１７でＹＥＳ）、制御部１０は、逆転駆動処理を行い（Ｓ１８）、累積ジョブ数を計数する（Ｓ１９）。現像ローラ走行距離が所定値より大きくない場合（Ｓ１７でＮＯ）、制御部１０は、ステップＳ１９の処理を行う。
【００８６】
制御部１０は、取得した印字濃度が予め設定された濃度閾値より小さいか否かを判定する（Ｓ２０）。印字濃度が濃度閾値より小さい場合（Ｓ２０でＹＥＳ）、制御部１０は、
感光体１で現像されるトナー量が少ないと判定し、帯電又は現像条件などのプロセス条件の補正を行い（Ｓ２１）、逆転駆動処理を行う（Ｓ２２）。なお、ステップＳ１８、Ｓ２２で行われる処理は、ステップＳ１２で行われる処理と同一である。制御部１０は、計数した累積ジョブ数をリセット（「０」にする）し（Ｓ２３）、電源オフの操作の有無を判定する（Ｓ２４）。
【００８７】
ステップＳ２０で、印字濃度が濃度閾値より小さくない場合（Ｓ２０でＮＯ）、制御部１０は、計数した累積ジョブ数が所定の累積ジョブ数であるか否かの判定する（Ｓ２５）。所定の累積ジョブ数である場合（Ｓ２５でＹＥＳ）、制御部１０はステップＳ２２以降の処理を続ける。
【００８８】
所定の累積ジョブ数でない場合（Ｓ２５でＮＯ）、制御部１０はステップＳ２４以降の処理を続ける。電源オフの操作がない場合（Ｓ２４でＮＯ）、制御部１０は、ステップＳ１３以降の処理を行い、電源オフの操作があった場合（Ｓ２４でＹＥＳ）、制御部１０は処理を終了する。
【００８９】
図１２は逆転駆動処理の手順を示すフローチャートである。制御部１０は、取得した現像ローラ走行距離に基づいて、現像ローラ３１の逆回転量を設定し（Ｓ１２１）、現像ローラ３１を逆回転させる（Ｓ１２２）。制御部１０は、現像ローラ３１が逆回転開始後、ドクターブレード３３、３４の圧接力を抑制する（Ｓ１２３）。
【００９０】
制御部１０は、最大逆回転量を超えない範囲で、設定された逆回転量だけ現像ローラ３１を逆回転した後、逆回転を停止し（Ｓ１２４）、ドクターブレード３３、３４の圧接力の抑制を解除し（Ｓ１２５）、逆転駆動処理を終了する。
【００９１】
なお、上述の処理では、画像形成に関連する情報として、現像ローラ走行距離を取得する場合について説明したが、現像ローラ走行距離に代えて、現像ローラ累積回転数、Ａ４シングル印字枚数、現像ローラ走行距離とＡ４印字枚数との比、Ａ４何枚間欠相当の使用などの情報を用いることもできる。
【００９２】
以上説明したように、本発明にあっては、現像ローラ３１を逆回転させる場合に、ドクターブレード３３、３４の圧接力を抑制することにより、現像ローラ３１の表面とドクターブレード３３、３４との間に入り込んだトナーを従来に比べて容易に除去することができ、トナーの融着を防止することができる。また、特定のトナーが、現像ローラ３１の表面とドクターブレード３３、３４との間に長時間留まることを防止してトナーの凝集を抑制することができる。
【００９３】
また、現像ローラ３１を逆回転させる場合に、ドクターブレード３３、３４を現像ローラ３１の表面から離隔することにより、現像ローラ３１の表面とドクターブレード３３、３４との間に比較的大きなトナーの塊が挟まった場合であっても、トナーの塊を落ち易くすることができ、トナーの塊を確実に除去することができる。
【００９４】
また、ドクターブレード３３、３４の圧接力を抑制する手段として、ステッピングモータ１７により駆動されるカム板３５を設け、カム板３５を回転させることにより、ドクターブレード３３、３４を従動させる構成としたので、簡単な構成でドクターブレード３３、３４の圧接力を抑制することができる。また、第１のドクターブレード３３の圧接力を第２のドクターブレード３４の圧接力より大きくしたので、トナーの融着を防止しつつ、トナーの層厚を均一にすることができる。
【００９５】
また、現像ローラ３１の逆回転量（現像ローラ３１の外周面上の距離）を感光体１上の点Ａと飛散防止板３６が感光体１に当接する当接位置（図中点Ｂ）との前記感光体１上の周長に相当する現像ローラ３１の周長を越えないように現像ローラ３１を逆回転させるため、感光体１の表面又は現像ローラ３１の表面に付着したトナーが外部へ飛散することを防止することができる。また、現像ローラ３１を逆回転させる場合、正回転時に設定されている回転速度のうち最低速で回転させるため、逆回転時の回転速度を設定する特別な駆動機構を設ける必要がなく、又現像ローラ３１又は感光体１に付着したトナーが飛散することを防止することができる。
【００９６】
また、現像ローラ走行距離、印字濃度などの情報に基づいて、現像ローラ３１を逆回転させるか否かを判定させるとともに、現像ローラ３１の逆回転量又は逆回転の頻度を制御することにより、使用状況に拘わらず、トナーの融着を抑制することができる。
【００９７】
上述の実施の形態においては、現像ローラ走行距離、現像ローラ累積回転数、Ａ４シングル印字枚数、現像ローラ走行距離とＡ４印字枚数との比、Ａ４何枚間欠相当の使用などの数値は、一例であって、これに限定されるものではない。また、現像ローラ３１の逆回転量も一例であり、これに限定されるものではなく、現像ローラ３１の直径などに応じて適宜変更することができる。
【００９８】
上述の実施の形態においては、ドクターブレード３３、３４の圧接力を抑制する手段として、ステッピングモータ１７、カム板３５などを用いる構成であったが、これに限定されるものではなく、圧接力を抑制することができるものであれば、直線動、又は揺動するような部材でドクターブレード３３、３４を従動させる構成、弾性部材で押圧するような構成であってもよい。
【００９９】
上述の実施の形態においては、ドクターブレード３３、３４いずれも現像ローラ３１の表面から離隔させる構成であったが、圧接力を抑制するものであれば、離隔させない構成でもよく、ドクターブレード３３、３４のいずれか一方のみを離隔させるように構成してもよい。
【０１００】
上述の実施の形態においては、カム板３５の回転位置は、第１及び第２の回転位置の２つを設ける構成であったが、これに限定されるものではなく、回転位置を３つ以上設けることもできる。例えば、回転位置を３つ設けて、現像ローラ走行距離、現像ローラ累積回転数、Ａ４シングル印字枚数、現像ローラ走行距離とＡ４印字枚数との比、Ａ４何枚間欠相当の使用などの情報に応じて、比較的使用状態が初期の段階では、ドクターブレード３３、３４を現像ローラ３１の表面に接触した状態で圧接力を抑制するようにし、長期間使用した状態では、ドクターブレード３３、３４を現像ローラ３１の表面から離隔させるようにすることもできる。また、ドクターブレード３３、３４の圧接力を段階的に抑制することもできる。また、カム板３５を連続的に回転させて、ドクターブレード３３、３４の圧接力を徐々に抑制することもできる。
【図面の簡単な説明】
【０１０１】
【図１】本発明に係る現像装置を備える画像形成装置の要部構成を示す模式図である。
【図２】本発明に係る画像形成装置の構成を示すブロック図である。
【図３】現像ローラの回転制御の一例を示す説明図である。
【図４】現像ローラを逆回転する場合の逆回転量の一例を示す説明図である。
【図５】現像ローラを逆回転する場合の逆回転頻度の一例を示す説明図である。
【図６】現像ローラを逆回転する場合の逆回転頻度の他の例を示す説明図である。
【図７】現像ローラが正回転する場合の模式図である。
【図８】現像ローラが逆回転する場合の模式図である。
【図９】ドクターブレードと現像ローラの表面との間に溜まるトナーの状態を示す説明図である。
【図１０】制御部の処理手順を示すフローチャートである。
【図１１】制御部の処理手順を示すフローチャートである。
【図１２】逆転駆動処理の手順を示すフローチャートである。
【符号の説明】
【０１０２】
１  感光体
２  帯電器
３  現像装置
１０  制御部
１１  メモリ
１２  カウンタ
１３  正逆回転制御回路
１４  ブラシレスモータ
１５  駆動ギア
１６  駆動回路
１７  ステッピングモータ
２０  画像形成制御部
３１  現像ローラ
３２  トナー補給ローラ
３３、３４  ドクターブレード
３５  カム板
３６、３７  飛散防止板
３８  トナー受け
【図１】
2007206455.tif 000003
【図２】
2007206455.tif 000004
【図３】
2007206455.tif 000005
【図４】
2007206455.tif 000006
【図５】
2007206455.tif 000007
【図６】
2007206455.tif 000008
【図７】
2007206455.tif 000009
【図８】
2007206455.tif 000010
【図９】
2007206455.tif 000011
【図１０】
2007206455.tif 000012
【図１１】
2007206455.tif 000013
【図１２】
2007206455.tif 000014